(57)【特許請求の範囲】
【請求項１】
地盤に杭を打ち込むための穴をあける穴あけ治具であって、
管体の一端に一体化して鉄ピン状部を備える穴あけ部材と、
前記穴あけ部材の前記管体内に挿入可能で、前記鉄ピン状部を叩いて打ち込むための棒体を備える叩き込み部材と、からなり、
前記管体はガス管で、
前記鉄ピン状部は、金テコの先端を切断した部材が前記管体の一端に溶接されたものであることを特徴とする杭打ち込み用穴あけ治具。
【請求項２】
前記棒体は、金テコの先端が切断されて他端にヘラ部を備えるものであることを特徴とする請求項１に記載の杭打ち込み用穴あけ治具。
【請求項３】
請求項１または２に記載の杭打ち込み用穴あけ治具を用いて行う杭打ち込み用穴あけ方法であって、
地盤に前記鉄ピン状部を下にして前記穴あけ部材を立て、
前記穴あけ部材の前記管体内に前記叩き込み部材の前記棒体を挿入して、
前記棒体で前記鉄ピン状部を叩くことにより前記地盤に前記穴あけ部材を打ち込むことを特徴とする杭打ち込み用穴あけ方法。
【発明の詳細な説明】
【技術分野】
【０００１】
本発明は、測量杭等の杭打ち込み用の穴あけ治具と、その穴あけ治具を用いる杭打ち込み用穴あけ方法に関する。
【背景技術】
【０００２】
固い地盤に測量杭を打ち込む場合、従来は、大ハンマーやかけや（大型の木槌）により鉄ピンを先に打ち込んで、穴を確保した上で、その後、測量杭を打ち込むのが一般的である。
【０００３】
また、特許文献１において、容易且つ迅速にマーキングポイントに測量杭を打設し得る測点杭打ち装置が提案される。
この測点杭打ち装置は、測量ポールの下端部に、測量杭を装填し得る杭装填空間の形成された杭ホルダーを設け、測量ポールにガイド空間を形成すると共に、そのガイド空間に、ハンマーを杭装填空間との間で移動自在に設け、測量ポールの上端に、所定の測量機器のターゲットと成り得る測量用反射器を設けた構成である。
【先行技術文献】
【特許文献】
【０００４】
【特許文献１】特開平７−４３１５９号公報
【発明の概要】
【発明が解決しようとする課題】
【０００５】
しかし、従来のように、大ハンマーやかけやにより鉄ピンを打ち込む際、精度が必要となり、打ち直し等の手戻りが生じる可能性が高い。
そして、大ハンマーやかけやを使用することにより、打ち損ねによる災害事例もみられ、安全上にも問題があった。
また、鉄ピンを打ち込む際、低姿勢となるため、作業者の負担も大きかった。
【０００６】
また、特許文献１の測点杭打ち装置は、測量ポール、測量杭装填空間の形成された杭ホルダー、測量ポールのガイド空間、ハンマー、測量用反射器を備える特殊なものであり、鋼製が複雑で高価なものである。
【０００７】
本発明の課題は、測量杭等の杭を打ち込むための穴あけにおいて、大ハンマーやかけやが不要で、杭打ち込み精度を確保して、手戻りを無くし、作業効率を向上することである。
【課題を解決するための手段】
【０００８】
以上の課題を解決するため、請求項１に記載の発明は、
地盤に杭を打ち込むための穴をあける穴あけ治具であって、
管体の一端に一体化して鉄ピン状部を備える穴あけ部材と、
前記穴あけ部材の前記管体内に挿入可能で、前記鉄ピン状部を叩いて打ち込むための棒体を備える叩き込み部材と、からなり、
前記管体はガス管で、
前記鉄ピン状部は、金テコの先端を切断した部材が前記管体の一端に溶接されたものであることを特徴とする。
【００１０】
請求項２に記載の発明は、
請求項１に記載の杭打ち込み用穴あけ治具であって、
前記棒体は、金テコの先端が切断されて他端にヘラ部を備えるものであることを特徴とする。
【００１１】
請求項３に記載の発明は、
請求項１または２に記載の杭打ち込み用穴あけ治具を用いて行う杭打ち込み用穴あけ方法であって、
地盤に前記鉄ピン状部を下にして前記穴あけ部材を立て、
前記穴あけ部材の前記管体内に前記叩き込み部材の前記棒体を挿入して、
前記棒体で前記鉄ピン状部を叩くことにより前記地盤に前記穴あけ部材を打ち込むことを特徴とする。
【発明の効果】
【００１２】
本発明によれば、大ハンマーやかけやが不要となり、杭打ち込み精度も確保でき、手戻りが無くなり、杭打ち込みの作業効率の向上を図ることができる。
また、大ハンマーやかけやが不要となることで、関連災害も無くなり、安全面も改善される。
さらに、穴あけ治具打ち込みも直立姿勢で行なえることから、作業者の負担軽減も図ることができる。
【図面の簡単な説明】
【００１３】
【図１】本発明を適用した杭打ち込み用穴あけ治具の一実施形態の構成を示すもので、穴あけ部材の概略斜視図（ａ）と、叩き込み部材の概略斜視図（ｂ）である。
【図２】図１の杭打ち込み用穴あけ治具を用いる杭打ち込み用穴あけ方法を示すもので、穴あけ部材の管体に叩き込み部材を挿入する状態を示した概略斜視図（ａ）と、その穴あけ状態を示した図（ｂ）である。
【発明を実施するための形態】
【００１４】
以下、図を参照して本発明を実施するための形態を詳細に説明する。
（実施形態）
図１は本発明を適用した杭打ち込み用穴あけ治具の一実施形態の概略構成を示すもので、杭打ち込み用穴あけ治具は、図１（ａ）に示す穴あけ部材１と、図１（ｂ）に示す叩き込み部材２とからなる。
【００１５】
穴あけ部材１は、図１（ａ）に示すように、管体１ａの一端に鉄ピン状部１ｂを一体化して備える。
すなわち、この穴あけ部材１は、ガス管による管体１ａの一端に、金テコの先端を切断した部材２ｂ（図１（ｂ）の仮想線参照）による鉄ピン状部１ｂが溶接されたものである。
【００１６】
叩き込み部材２は、図１（ｂ）に示すように、穴あけ部材１の管体１ａの内部に挿入可能な棒体２ａからなる。
すなわち、この叩き込み部材２は、金テコの先端切断部材２ｂが切断されたもので、棒体２ａの他端にヘラ部２ｃが備えられている。
【００１７】
図２は杭打ち込み用穴あけ治具（穴あけ部材１と叩き込み部材２）を用いる杭打ち込み用穴あけ方法を示すもので、先ず、図２（ａ）に示すように、地盤に鉄ピン状部１ｂを下にして穴あけ部材１を作業員が手で持って立てるとともに、その穴あけ部材１の管体１ａ内に上方から、叩き込み部材２の棒体２ａを作業員が手で持って挿入する。
【００１８】
次に、図２（ｂ）に示すように、叩き込み部材２の棒体２ａを作業員が手で持って、穴あけ部材１の管体１ａ下部内の鉄ピン状部１ｂの頭部を叩くことによって、地盤に穴あけ部材１の鉄ピン状部１ｂを所定深さまで打ち込んでいく。
【００１９】
その後、地盤から穴あけ部材１を抜いて、その地面に残された穴に図示しない測量杭の下端部を挿入して、測量杭を設置する。
なお、測量杭に限らず他の杭を設置してもよい。
【００２０】
以上、実施形態の杭打ち込み用穴あけ治具、及びその穴あけ治具を用いる杭打ち込み用穴あけ方法によれば、穴あけ部材１が管体１ａの一端に一体化して鉄ピン状部１ｂを備えて、叩き込み部材２が杭１の管体１ａ内に挿入可能で、鉄ピン状部１ｂを叩くための棒体２ａを備え、地盤に鉄ピン状部１ｂを下にして穴あけ部材１を立て、その穴あけ部材１の管体１ａ内に叩き込み部材２の棒体２ａを挿入して、その棒体２ａで鉄ピン状部１ｂを叩くことにより地盤に穴あけ部材１を打ち込むことができる。
【００２１】
従って、大ハンマーやかけやが不要となり、杭打ち込み精度も確保でき、手戻りが無くなり、杭打ち込みの作業効率を向上させることができる。
また、大ハンマーやかけやが不要となることで、関連災害も無くなり、安全面も改善することができる。
さらに、穴あけ部材１の打ち込みも、図２に示したように、直立姿勢で行なえることから、作業者の負担も軽減することができる。
【００２２】
（変形例）
以上の実施形態においては、金テコを利用して穴あけ部材と叩き込み部材を作製したが、本発明はこれに限定されるものではなく、管体の先端に鉄ピン状のものを一体化して、その管体に挿入する棒体を使用してもよい。
また、その他、具体的な細部構造等についても適宜に変更可能であることは勿論である。
【符号の説明】
【００２３】
１  穴あけ部材
１ａ  管体
１ｂ  鉄ピン状部
２  叩き込み部材
２ａ  棒体
２ｂ  先端切断部材
２ｃ  ヘラ部
【図１】
0006580959.tif 000002
【図２】
0006580959.tif 000003